(57)【特許請求の範囲】
【請求項１】
マトリクス状に配置され、入力された映像信号に基づいて発光する複数の表示素子を有する表示部と、
前記マトリクスの１ラインにおける変換前の映像信号の中から１ライン毎の最大輝度信号を特定する信号特定部と、
前記複数の表示素子について前記映像信号に基づいた発光をさせない期間が、１フレーム期間内で占める割合を、前記最大輝度信号に基づいて前記マトリクスの１ライン毎に決定する割合決定部と、
前記割合決定部で決定された割合に応じて、前記１ライン毎に映像信号の大きさを変換する信号変換部と、
前記信号変換部で変換された映像信号及び非映像信号を前記表示部に出力する信号出力部と、
前記信号変換部で変換された映像信号及び非映像信号を前記複数の表示素子の各々に書き込むための走査信号を前記１ライン毎に前記表示部に出力する走査部と、
前記非映像信号が入力されている期間の１フレーム期間に対する割合が、前記割合決定部で決定された前記割合となるように、前記信号出力部及び前記走査部を制御するタイミング制御部とを備える
表示装置。
【請求項２】
マトリクス状に配置され、入力された映像信号に基づいて発光する複数の表示素子を有する表示部と、
前記マトリクスの１ラインにおける変換前の映像信号の中から１ライン毎の最大輝度信号を特定する信号特定部と、
前記複数の表示素子について前記映像信号に基づいた発光をさせない期間が、１フレーム期間内で占める割合を、前記最大輝度信号に基づいて前記マトリクスの１ライン毎に決定する割合決定部と、
前記割合決定部で決定された割合に応じて、前記１ライン毎に映像信号の大きさを変換する信号変換部と、
前記信号変換部で変換された映像信号を前記表示部に出力する信号出力部と、
前記信号変換部で変換された映像信号を前記複数の表示素子の各々に書き込むための走査信号を前記１ライン毎に前記表示部に出力する第１走査部と、
映像信号に応じた発光をさせない黒挿入信号を前記１ライン毎に前記表示部に出力する第２走査部と、
前記黒挿入信号が入力されている期間の１フレーム期間に対する割合が、前記割合決定部で決定された前記割合となるように、前記信号出力部、前記第１走査部及び前記第２走査部を制御するタイミング制御部とを備える
表示装置。
【請求項３】
前記複数の表示素子の各々に対して前記映像信号に基づいた発光をさせない期間は、前記映像信号に依存しない、最低階調の信号に相当する電気信号が前記複数の表示素子の各々に入力される期間である
請求項１または２に記載の表示装置。
【請求項４】
前記割合決定部は、前記信号特定部で特定される前記最大輝度信号の輝度が低いほど、前記割合決定部で決定される前記割合を高くする
請求項１〜３のいずれか１項に記載の表示装置。
【請求項５】
前記信号変換部は、前記信号特定部で特定される１ラインの前記最大輝度信号の輝度が低いほど、当該１ラインの映像信号の有する輝度よりも高い輝度の映像信号に変換する
請求項４に記載の表示装置。
【請求項６】
前記信号変換部は、前記信号特定部で特定される１ラインの前記最大輝度信号を、最高階調の信号に変換し、前記１ラインの有する他の映像信号を、前記最大輝度信号から前記最高階調の信号への変換比率と同様の比率で変換する
請求項５に記載の表示装置。
【請求項７】
前記表示素子は、有機エレクトロルミネッセンス素子である
請求項１または２に記載の表示装置。
【請求項８】
さらに、
前記１ライン毎に配置された複数のゲート線と、
前記複数のゲート線と直交する方向に配置された複数のデータ線とを備え、
前記複数のゲート線の各々と前記複数のデータ線の各々との交点に前記表示素子が配置されており、
前記信号出力部は、前記複数のデータ線のそれぞれに対して、前記信号変換部で変換された映像信号を出力し、
前記走査部は、前記複数のゲート線のそれぞれに対して、前記走査信号を出力する
請求項１または２に記載の表示装置。
【請求項９】
前記信号出力部は、前記複数のデータ線のそれぞれに対して、前記信号変換部で変換された映像信号と、非映像信号とを交互に前記表示部へ出力し、
前記走査部は、
前記信号変換部で変換された映像信号の前記表示部への出力に同期して、ライン順次に第１走査信号を出力する第１走査部と、
前記非映像信号の出力に同期して、前記複数の表示素子の各々に対して前記非映像信号が入力されている期間の、１フレーム期間に対する割合が、前記割合決定部で決定された前記割合となるように第２走査信号を出力する第２走査部とを含む
請求項１に記載の表示装置。
【請求項１０】
前記表示部は、マトリクス状に配置された複数の発光画素で構成され、
前記複数の発光画素のそれぞれは、
前記表示素子と、
前記表示素子に電気的に接続され、当該表示素子の発光を決定する駆動素子を備え、
前記信号出力部が出力する前記非映像信号は、前記駆動素子と前記表示素子とを電気的に切断する信号である
請求項９に記載の表示装置。
【請求項１１】
さらに、
前記１ライン毎に配置された複数のゲート線と、
前記複数のゲート線と直交する方向に配置された複数のデータ線とを備え、
前記表示部は、マトリクス状に配置された複数の発光画素で構成され、
前記複数の発光画素のそれぞれは、
前記表示素子と、
前記表示素子に電気的に接続され、当該表示素子の発光を決定する駆動素子と、
キャパシタと、
前記走査部に電気的に接続され、前記キャパシタの第１電極の電位を制御するための制御線とを備え、
前記駆動素子は、ゲート電極に前記キャパシタの第２電極が電気的に接続された薄膜トランジスタであり、
前記信号出力部は、前記複数のデータ線のそれぞれに対して、前記信号変換部で変換された映像信号を前記表示部へ出力し、
前記第１走査部は、前記信号変換部で変換された映像信号の前記表示部への出力に同期して、ライン順次に前記第１走査信号を出力し、
前記第２走査部は、前記駆動素子を前記制御線によりＯＦＦ状態にする期間の、１フレーム期間に対する割合が、前記割合決定部で決定された前記割合となるように、前記制御線の電位を変化させる前記第２走査信号を出力する
請求項２に記載の表示装置。
【請求項１２】
マトリクス状に配置され、入力された映像信号に基づいて発光する複数の表示素子を有する表示部を備える表示装置の駆動方法であって、
前記マトリクスの１ラインにおける変換前の映像信号の中から１ライン毎の最大輝度信号を特定する信号特定ステップと、
前記複数の表示素子について前記映像信号に基づいた発光をさせない期間が、１フレーム期間内に占める割合を、前記最大輝度信号に基づいて前記マトリクスの１ライン毎に決定する割合決定ステップと、
前記割合決定ステップで決定された前記割合に応じて、１ライン毎の映像信号の大きさを変換する信号変換ステップと、
前記信号変換ステップで変換された映像信号及び非映像信号を前記表示部に出力する信号出力ステップと、
前記信号変換ステップで変換された映像信号及び非映像信号を前記複数の表示素子の各々に書き込むための走査信号を前記１ライン毎に前記表示部に出力する走査ステップとを含み、
前記信号出力ステップ及び前記走査ステップでは、前記非映像信号が入力されている期間の１フレーム期間に対する割合が、前記割合決定ステップで決定された前記割合となるように、前記映像信号、前記非映像信号及び前記走査信号を前記表示部に出力するタイミングを制御する
表示装置の駆動方法。
【請求項１３】
前記信号出力ステップでは、前記信号変換ステップで変換された映像信号と、非映像信号とを前記表示部に交互に出力し、
前記走査ステップでは、前記変換された映像信号の出力に同期して、ライン順次に第１走査信号を前記表示部に出力し、前記非映像信号の出力に同期して、前記複数の表示素子の各々に対して前記非映像信号が入力されている期間の、１フレーム期間に対する割合が、前記割合となるように第２走査信号を前記表示部に出力する
請求項１２に記載の表示装置の駆動方法。
【請求項１４】
マトリクス状に配置され、入力された映像信号に基づいて発光する複数の表示素子を有する表示部を備える表示装置の駆動方法であって、
前記マトリクスの１ラインにおける変換前の映像信号の中から１ライン毎の最大輝度信号を特定する信号特定ステップと、
前記複数の表示素子について前記映像信号に基づいた発光をさせない期間が、１フレーム期間内に占める割合を、前記最大輝度信号に基づいて前記マトリクスの１ライン毎に決定する割合決定ステップと、
前記割合決定ステップで決定された前記割合に応じて、１ライン毎の映像信号の大きさを変換する信号変換ステップと、
前記信号変換ステップで変換された映像信号を前記表示部に出力する信号出力ステップと、
前記信号変換ステップで変換された映像信号を前記複数の表示素子の各々に書き込むための走査信号を前記１ライン毎に前記表示部に出力する第１走査ステップと、
映像信号に応じた発光をさせない黒挿入信号を前記１ライン毎に前記表示部に出力する第２走査ステップと、
前記信号出力ステップ、前記第１走査ステップ、及び前記第２走査ステップでは、前記黒挿入信号が入力されている期間の１フレーム期間に対する割合が、前記割合決定ステップで決定された前記割合となるように、前記映像信号、前記黒挿入信号及び前記走査信号を前記表示部に出力するタイミングを制御する
表示装置の駆動方法。
【請求項１５】
前記表示部は、マトリクス状に配置された複数の発光画素で構成され、前記複数の発光画素のそれぞれは、前記表示素子と、キャパシタと、ゲート電極に前記キャパシタの第２電極が電気的に接続され当該表示素子の発光を決定する駆動トランジスタと、前記キャパシタの第１電極の電位を制御するための制御線とを備え、
前記信号出力ステップでは、前記信号変換ステップで変換された映像信号を前記表示部に出力し、
前記第１走査ステップでは、前記変換された映像信号の出力に同期して、ライン順次に前記走査信号を前記表示部に出力し、前記第２走査ステップでは、前記駆動素子を前記制御線によりＯＦＦ状態にする期間の、１フレーム期間に対する割合が、前記割合決定部で決定された前記割合となるように、前記制御線の電位を変化させる前記黒挿入信号を出力する
請求項１４に記載の表示装置の駆動方法。
【発明の詳細な説明】
【技術分野】
【０００１】
本発明は、表示装置及びその駆動方法に関し、特にホールド型の表示装置およびその駆動方法に関する。
【背景技術】
【０００２】
液晶や有機ＥＬディスプレイのようなホールド型表示装置においては、ＣＲＴディスプレイのようなインパルス型表示装置とは異なり、フレーム期間内で画像が持続されることから、動画映像が不鮮明になる不具合が生じる。つまり、ホールド型表示装置の場合は、フレーム期間内で画像が静止画として保持表示され、１フレーム毎に画面を切り換えて動画を表示している。そのため、フレームからフレームへの遷移期間において静止画が切れ目なく切り換わっていることになり、利用者にとっては１つ前のフレーム画像が残像となり、両フレームの画像が重ね合わされた二重画像を知覚して動画ぼけを認識してしまう。
【０００３】
上記動画ぼけを解消する手段として、１フレーム期間内に所定の比率で黒画面を挿入し、現フレーム画像とその前のフレームの残像との重なり認識による動画ぼけを軽減するという技術が提案され、実用化されている。
【０００４】
ここで、１フレーム期間内に所定の比率で黒画面を挿入する技術について説明する。
【０００５】
図９は、黒挿入技術を説明するグラフである。横軸は、映像信号データを表す。また、縦軸は、１フレームの輝度を表す。横軸を表す映像信号データは、例えば、入力階調が０から２５５のデジタル値である。同図において、黒挿入率が０％の場合、つまり、１フレーム期間内に黒挿入をしない場合には、映像信号データの入力階調である０〜２５５は、１フレームにおいて、輝度０〜１００％に対応する。これに対し、例えば、１フレーム期間内の４０％に黒画面を挿入した場合、つまり、黒挿入率が４０％の場合、映像信号データの入力階調である０〜２５５は、１フレームにおいて、輝度０〜６０％に対応する。また、例えば、１フレーム期間内の８０％に黒画面を挿入した場合、つまり、黒挿入率が８０％の場合、映像信号データの入力階調である０〜２５５は、１フレームにおいて、輝度０〜２０％に対応する。つまり、利用者が１フレームの輝度を認識するために、０〜２５５の入力階調を変化させて発光表示させるだけでなく、同一の入力階調であっても黒挿入率を変化させることにより認識される輝度を異ならせることが可能となる。例えば、２５５の入力階調で１フレーム期間内の５０％において発光させ、０階調で残りの５０％に黒画面を挿入した場合と、１２７の入力階調で１フレーム全期間において発光させた場合とでは、利用者が認識する１フレームの輝度は同じである。しかし、フレーム間に黒画面を挿入した前者の場合の方が、動画ぼけが軽減できるという特長を有する。
【０００６】
特許文献１では、ＯＣＢ（Ｏｐｔｉｃａｌｌｙ  Ｃｏｍｐｅｎｓａｔｅｄ  Ｂｉｒｅｆｒｉｎｇｅｎｃｅ）型液晶表示装置において、駆動電圧が低電圧継続状態となることにより発生する逆転移を防止するため、ブランキング期間だけでなく映像信号書き込み期間にも定期的に高電圧を印加する黒挿入技術について開示されている。これにより、逆転移防止のための高電圧期間を長く設定することができるとしている。
【０００７】
また、特許文献２では、ホールド型表示装置において、１フレーム期間内に所定の比率で黒画面を挿入して動画像の画質を改善するとともに、１フレーム期間内に対する黒挿入率を個々の使用状況に適した値に設定する技術について開示されている。
【先行技術文献】
【特許文献】
【０００８】
【特許文献１】特開２００６−０１８１３８号公報
【特許文献２】特開２００８−２６８８８６号公報
【発明の概要】
【発明が解決しようとする課題】
【０００９】
しかしながら、前述した特許文献１及び２に記載された黒挿入技術では、フレーム単位で黒挿入率を決定している。言い換えると、画像書き込みタイミング及び黒挿入タイミングは、いずれも行順次に駆動される。
【００１０】
また、フレーム単位で黒挿入率が固定されるため、例えば、同一フレーム内での最大輝度にあわせて黒挿入率が決定されることになる。これにより、同一フレーム内で輝度差が大きい画像の場合、輝度が高い部分に対しては動画ぼけが低減し画質改善されるが、輝度が低い部分に対しては黒挿入率がさほど上がらず、階調数を上げるなどの画質改善の寄与度は低い。
【００１１】
上記課題に鑑み、本発明は、あらゆる階調を有する画像であっても動画ぼけを低減し、かつ、一様に高品質な画像を得ることができる表示装置およびその駆動方法を提供することを目的とする。
【課題を解決するための手段】
【００１２】
上記目的を達成するために、本発明の一態様に係る表示装置は、マトリクス状に配置され、入力された映像信号に基づいて発光する複数の表示素子を有する表示部と、前記複数の表示素子について前記映像信号に基づいた発光をさせない期間が、１フレーム期間内で占める割合を、前記マトリクスの１ライン毎に決定する割合決定部と、前記割合決定部で決定された割合に応じて、前記１ライン毎に映像信号の大きさを変換する信号変換部と、前記信号変換部で変換された映像信号を前記表示部に出力する信号出力部と、前記変換された映像信号が、前記割合に基づいて前記複数の表示素子の各々に入力されるよう、走査信号を前記１ライン毎に前記表示部に出力する走査部とを備えることを特徴とする。
【発明の効果】
【００１３】
本発明の表示装置及びその駆動方法によれば、黒挿入率をライン単位で細かく設定することにより、部分的に低輝度である領域の黒挿入率を高くすることができる。よって、動画ぼけを解消できるとともに、暗階調での階調数を増やすことができる。
【図面の簡単な説明】
【００１４】
【図１】図１は、本発明の実施の形態に係る表示装置の機能ブロック図である。
【図２】図２は、本発明の実施の形態に係る表示装置の動作フローチャートである。
【図３】図３は、本発明の実施の形態に係る表示装置の黒挿入率の決定を説明するグラフである。
【図４】図４は、本発明の実施の形態１に係る表示部の有する発光画素の回路構成図である。
【図５】図５は、本発明の実施の形態１に係る表示装置の動作タイミングチャートである。
【図６】図６は、本発明の実施の形態２に係る表示部の有する発光画素の回路構成図である。
【図７】図７は、本発明の実施の形態２に係る表示装置の動作タイミングチャートである。
【図８】図８は、本発明の表示装置を内蔵した薄型フラットＴＶの外観図である。
【図９】図９は、黒挿入技術を説明するグラフである。
【発明を実施するための形態】
【００１５】
本発明の一態様に係る表示装置は、マトリクス状に配置され、入力された映像信号に基づいて発光する複数の表示素子を有する表示部と、前記複数の表示素子について前記映像信号に基づいた発光をさせない期間が、１フレーム期間内で占める割合を、前記マトリクスの１ライン毎に決定する割合決定部と、前記割合決定部で決定された割合に応じて、前記１ライン毎に映像信号の大きさを変換する信号変換部と、前記信号変換部で変換された映像信号を前記表示部に出力する信号出力部と、前記変換された映像信号が、前記割合に基づいて前記複数の表示素子の各々に入力されるよう、走査信号を前記１ライン毎に前記表示部に出力する走査部とを備えるものである。
【００１６】
本態様によると、１フレーム期間内に前記複数の表示素子の各々に対して前記映像信号に応じた発光をさせない期間の割合を、従来のようにフレーム毎ではなく、ライン毎に最適化するので、特に、同一フレーム内で輝度差が大きい画像を表示する場合に、輝度が低い行の前記割合を高くすることができる。これにより、暗階調での階調数を増やすことが可能となる。よって、前記割合をライン単位で細かく設定することにより、動画ぼけを解消できるとともに、暗階調での解像度を上げることが可能となる。
【００１７】
また、本発明の一態様である表示装置は、請求項１記載の表示装置において、前記複数の表示素子の各々に対して前記映像信号に基づいた発光をさせない期間は、前記映像信号に依存しない、最低階調の信号に相当する電気信号が前記複数の表示素子の各々に入力される期間である。
【００１８】
本態様によると、前記複数の表示素子の各々に対して前記映像信号に応じた発光をさせない期間は、最低階調の映像信号に相当する電気信号が前記複数の表示素子の各々に入力される期間であることから、前記割合は黒挿入率であると定義される。
【００１９】
また、本発明の一態様である表示装置は、請求項１または２に記載の表示装置において、さらに、前記１ラインにおける変換前の映像信号の中から１ライン毎の最大輝度信号を特定する信号特定部を備え、前記割合決定部は、前記最大輝度信号に基づいて前記割合を１ライン毎に決定するものである。
【００２０】
本態様によると、ライン毎の黒挿入率を、１ラインでの最大輝度信号を特定することにより決定する。例えば、上記１ラインでの最大輝度信号を最大の入力階調としてスケーリングすることにより、ライン毎に階調数を最大化することが可能となる。
【００２１】
また、本発明の一態様である表示装置は、請求項３に記載の表示装置において、前記割合決定部は、前記信号特定部で特定される前記最大輝度信号の輝度が低いほど、前記割合決定部で決定される前記割合を高くする。
【００２２】
本態様によると、輝度が低いラインの黒挿入率を高くすることで、暗階調での階調数を増やすことができる。
【００２３】
また、本発明の一態様である表示装置は、請求項４に記載の表示装置において、前記信号変換部は、前記信号特定部で特定される１ラインの前記最大輝度信号の輝度が低いほど、当該１ラインの映像信号の有する輝度よりも高い輝度の映像信号に変換するものである。
【００２４】
本態様によると、低輝度のラインの黒挿入率を高くする分、暗階調での階調数を増やすことで、１フレーム期間において本来表示すべき輝度を実現することが可能となる。
【００２５】
また、本発明の一態様である表示装置は、請求項５に記載の表示装置において、前記信号変換部は、前記信号特定部で特定される１ラインの前記最大輝度信号を、最高階調の信号に変換し、前記１ラインの有する他の映像信号を、前記最大輝度信号から前記最高階調の信号への変換比率と同様の比率で変換するものである。
【００２６】
本態様によると、低輝度のラインの黒挿入率に応じて、最大輝度信号を最高階調の映像信号に変換するので、暗階調での階調数を最大限に増やすことが可能となる。また、前記１ラインの有する他の映像信号を、前記最大輝度信号から前記最高階調の映像信号への変換比率と同様の比率で変換する。これにより、利用者が認識する１フレームの輝度は、変換前の映像信号が黒挿入なし表示部に出力された場合と、変換後の映像信号が上記所定の黒挿入率で表示部に出力された場合とで同様となる。
【００２７】
また、本発明の一態様である表示装置は、請求項１に記載の表示装置において、前記表示素子は、有機エレクトロルミネッセンス素子である。
【００２８】
また、本発明の一態様である表示装置は、請求項１に記載の表示装置において、さらに、前記１ライン毎に配置された複数のゲート線と、前記複数のゲート線と直交する方向に配置された複数のデータ線とを備え、前記複数のゲート線の各々と前記複数のデータ線の各々との交点に前記表示素子が配置されており、前記信号出力部は、前記複数のデータ線のそれぞれに対して、前記信号変換部で変換された映像信号を出力し、前記走査部は、前記複数のゲート線のそれぞれに対して、前記走査信号を出力するものである。
【００２９】
本態様によれば、信号出力部から出力された変換後の映像信号は、複数のデータ線を介して前記表示素子に供給される。また、前記変換後の映像信号を表示素子に供給するタイミングを制御する走査信号は、複数のゲート線を介して前記表示部に供給される。
【００３０】
また、本発明の一態様である表示装置は、請求項８に記載の表示装置において、前記信号出力部は、前記複数のデータ線のそれぞれに対して、前記信号変換部で変換された映像信号と、非映像信号とを交互に前記表示部へ出力し、前記走査部は、前記信号変換部で変換された映像信号の前記表示部への出力に同期して、ライン順次に第１走査信号を出力する第１走査部と、前記非映像信号の出力に同期して、前記複数の表示素子の各々に対して前記非映像信号が入力されている期間の、１フレーム期間に対する割合が、前記割合決定部で決定された前記割合となるように第２走査信号を出力する第２走査部とを含んでもよい。
【００３１】
本態様によれば、前記信号出力部から出力された変換後の映像信号は、ライン順次に表示素子へ供給される。一方、前記信号出力部から出力された前記非映像信号は、前記複数の表示素子の各々に対して前記映像信号に応じた発光をさせない期間である黒挿入期間の１フレーム期間内に占める割合に応じて表示素子へ供給される。これにより、ライン毎の黒挿入期間を、データ線から所定の間隔で供給される非映像信号を利用して設定することができるので、当該黒挿入期間を規定するための制御線を付加する必要がなく、画素回路の簡素化が実現できる。
【００３２】
また、本発明の一態様である表示装置は、請求項９に記載の表示装置において、前記表示部は、マトリクス状に配置された複数の発光画素で構成され、前記複数の発光画素のそれぞれは、前記表示素子と、前記表示素子に電気的に接続され、当該表示素子の発光を決定する駆動素子を備え、前記信号出力部が出力する前記非映像信号は、前記駆動素子と前記表示素子とを電気的に切断する信号であってもよい。
【００３３】
本態様によれば、マトリクス状に配置された表示素子のそれぞれに、駆動素子が電気的に接続されている。これにより、表示部外に設けられた信号出力部や走査部からの信号により発光画素内で発光期間が制御されるだけでなく、上記駆動素子を制御することによっても発光期間を制御することが可能となる。
【００３４】
また、本発明の一態様である表示装置は、請求項８記載の表示装置において、前記表示部は、マトリクス状に配置された複数の発光画素で構成され、前記複数の発光画素のそれぞれは、前記表示素子と、前記表示素子に電気的に接続され、当該表示素子の発光を決定する駆動素子と、キャパシタと、前記走査部に電気的に接続され、前記キャパシタの第１電極の電位を制御するための制御線とを備え、前記駆動素子は、ゲート電極に前記キャパシタの第２電極が電気的に接続された薄膜トランジスタであり、前記信号出力部は、前記複数のデータ線のそれぞれに対して、前記信号変換部で変換された映像信号を前記表示部へ出力し、前記走査部は、前記信号変換部で変換された映像信号の前記表示部への出力に同期して、ライン順次に第１走査信号を出力する第１走査部と、前記駆動素子を前記制御線によりＯＦＦ状態にする期間の、１フレーム期間に対する割合が、前記割合決定部で決定された前記割合となるように、前記制御線の電位を変化させる第２走査信号を出力する第２走査部とを備えてもよい。
【００３５】
本態様によれば、前記信号出力部から出力された変換後の映像信号は、走査部から出力された第１走査信号により、ライン順次に表示素子へ供給される。一方、各発光画素に設けられた薄膜トランジスタのゲート電圧を、走査部から出力された第２走査信号により変化させ薄膜トランジスタをＯＦＦ状態とすることにより、前記信号出力部から出力された映像信号は、表示素子を発光させない非映像信号に変換される。この制御線への第２走査信号を、非映像信号期間が１フレーム期間内に占める割合に応じて表示部へ出力する。これにより、ライン毎の黒挿入期間を、駆動素子に接続された制御線の電圧変化により設定することができる。よって、データ線に映像信号と非映像信号を交互に出力させる必要がなく、信号出力部及び走査部が出力する信号切り換えの周波数が高くならないので信号出力負荷が低減する。また、非映像信号期間の設定が、データ線に非映像信号が出力されるタイミングのみに制約されないので、より高精度な黒挿入期間の設定が可能となる。
【００３６】
また、本発明の一態様に係る表示装置の駆動方法は、マトリクス状に配置され、入力された映像信号に基づいて発光する複数の表示素子を有する表示部を備える表示装置の駆動方法であって、前記複数の表示素子について前記映像信号に基づいた発光をさせない期間が、１フレーム期間内に占める割合を、前記マトリクスの１ライン毎に決定する割合決定ステップと、前記割合決定ステップで決定された前記割合に応じて、１ライン毎の映像信号の大きさを変換する信号変換ステップと、前記信号変換ステップで変換された映像信号を前記表示部に出力する信号出力ステップと、前記信号変換ステップで変換された映像信号が、前記割合に基づいて前記複数の表示素子の各々に入力されるよう、走査信号を前記１ライン毎に前記表示部に出力する走査ステップとを含むものである。
【００３７】
また、本発明の一態様である表示装置の駆動方法は、請求項１２記載の表示装置の駆動方法において、前記信号出力ステップでは、前記信号変換ステップで変換された映像信号と、非映像信号とを前記表示部に交互に出力し、前記走査ステップでは、前記変換された映像信号の出力に同期して、ライン順次に第１走査信号を前記表示部に出力し、前記非映像信号の出力に同期して、前記複数の表示素子の各々に対して前記非映像信号が入力されている期間の、１フレーム期間に対する割合が、前記割合となるように第２走査信号を前記表示部に出力するものである。
【００３８】
また、本発明の一態様である表示装置の駆動方法は、請求項１２記載の表示装置の駆動方法において、前記表示部は、マトリクス状に配置された複数の発光画素で構成され、前記複数の発光画素のそれぞれは、前記表示素子と、キャパシタと、ゲート電極に前記キャパシタの第２電極が電気的に接続され当該表示素子の発光を決定する駆動トランジスタと、前記キャパシタの第１電極の電位を制御するための制御線とを備え、前記信号出力ステップでは、前記信号変換ステップで変換された映像信号を前記表示部に出力し、前記走査ステップでは、前記変換された映像信号の出力に同期して、ライン順次に第１走査信号を前記表示部に出力し、前記駆動素子を前記制御線によりＯＦＦ状態にする期間の、１フレーム期間に対する割合が、前記割合決定部で決定された前記割合となるように、前記制御線の電位を変化させる第２走査信号を出力するものである。
【００３９】
以下、本発明の好ましい実施の形態を図に基づき説明する。なお、以下では、全ての図を通じて同一又は相当する要素には同じ符号を付して、その重複する説明を省略する。
【００４０】
（実施の形態１）
図１は、本発明の実施の形態に係る表示装置の機能ブロック図である。同図に記載された表示装置１は、表示部１１と、信号出力部１２と、走査部１３と、タイミングコントローラ１４と、信号変換部１５と、割合決定部１６とを備える。
【００４１】
以下、各部の機能及び構成について説明する。
【００４２】
表示部１１は、マトリクス状に配置された複数の発光画素から構成され、各発光画素は表示素子を有する。ここで、表示素子とは、外部入力された映像信号に対応した電気信号により発光する素子であり、例えば、有機エレクトロルミネッセンス（以下、ＥＬと記す。)素子や液晶素子が該当する。
【００４３】
割合決定部１６は、上記表示素子に対して上記映像信号に応じた発光をさせない非映像信号期間の１フレーム期間内で占める割合を、表示部１１を構成する１ラインである１行毎に決定する機能を有する。ここで、非映像信号期間とは、上記表示素子に対して上記映像信号に応じた発光をさせない非映像信号が当該表示素子に入力される期間であり、例えば、１画素行に黒を表示する期間である。具体的には、割合決定部１６は、表示装置１に入力された映像信号を参照し、１画素行毎の黒挿入率を決定する。以降、非映像信号期間の１フレーム期間内で占める割合を黒挿入率と記す。
【００４４】
なお、図１には記載されていないが、表示装置１は、割合決定部１６の前段または割合決定部１６の内部に、入力された映像信号の中からライン毎の最大輝度信号を特定する信号特定部が設けられていることが好ましい。
【００４５】
信号変換部１５は、割合決定部１６で決定された黒挿入率に応じて、映像信号の大きさを変換し、変換された映像信号を信号出力部１２へ出力する機能を有する。具体的な変換方法は、図３にて説明する。
【００４６】
タイミングコントローラ１４は、信号出力部１２及び走査部１３を制御する機能を有する。具体的には、タイミングコントローラ１４は、信号出力部１２に対して、変換された映像信号を表示部１１へ出力するタイミングを指示する。また、タイミングコントローラ１４は、走査部１３に対して、信号出力部１２から表示部１１へ出力された変換後の映像信号を、表示部１１の有する複数の表示素子へ入力するタイミングを指示する。さらに、タイミングコントローラ１４は、走査部１３に対して、割合決定部１６で決定された黒挿入率により、非映像信号を表示部１１の有する複数の表示素子へ入力するタイミングを指示する。
【００４７】
信号出力部１２は、信号変換部１５で変換された映像信号、及び当該映像信号に応じた発光をさせない非映像信号を表示部１１に出力する機能を有する。
【００４８】
走査部１３は、上記変換された映像信号及び非映像信号が、割合決定部１６で決定された黒挿入率で複数の表示素子の各々に入力されるよう、走査信号を１ライン毎に表示部１１に出力する機能を有する。
【００４９】
なお、上述したタイミングコントローラ１４の制御機能は、信号出力部１２及び走査部１３に含まれていてもよい。この場合には、タイミングコントローラ１４はなくてもよく、信号出力部１２及び走査部１３が各機能を分担する形態、あるいは、信号出力部１２または走査部１３がタイミングコントローラ１４の全機能を有する形態であってもよい。
【００５０】
上述した実施の形態により、１フレーム期間における黒挿入率を、従来のようにフレーム毎ではなく、画素行毎に最適化するので、特に、同一フレーム内で輝度差が大きい画像を表示する場合に、低輝度の画素行の黒挿入率を高くすることができる。これにより、暗階調での階調数を増やすことが可能となる。よって、黒挿入率をライン単位で細かく設定することにより、動画ぼけを解消できるとともに、暗階調での階調数を増やすことが可能となる。
【００５１】
次に、上述した黒挿入率の決定から映像信号が変換されるまでのプロセスを図２及び図３を用いて説明する。
【００５２】
図２は、本発明の実施の形態に係る表示装置の動作フローチャートである。
【００５３】
まず、信号特定部は、入力された映像信号について、ライン毎の最大輝度を検出する（Ｓ１０）。
【００５４】
図３は、本発明の実施の形態に係る表示装置の黒挿入率の決定プロセスを説明するグラフである。横軸は、映像信号データを表す。また、縦軸は、各映像信号データの１フレームの輝度を表す。横軸を表す映像信号データは、例えば、入力階調が０から２５５のデジタル値である。同図において、所定の画素行における元の映像信号データが、Ａ〜Ｅのような入力階調を有するデータであると想定する。上述したステップＳ１０において、信号特定部は、上記所定の画素行における最大輝度信号をＥと検出する。
【００５５】
次に、割合決定部１６は、黒挿入率を１ライン毎に決定する（Ｓ２０）。図３に記載された例では、最大輝度信号Ｅの表示すべき１フレームの輝度は６０％であることから、割合決定部１６は、当該所定の画素行における黒挿入率を４０％と決定する。本決定は、輝度６０％を１フレーム全期間において表示したときの利用者が認識する輝度と、輝度１００％を１フレーム期間の６０％において表示し、輝度０％（黒階調）を１フレーム期間の４０％において表示したときの利用者が認識する輝度が等しいことによるものである。
【００５６】
次に、信号変換部１５は、ステップＳ２０で決定された黒挿入率に応じて、映像信号を変換し（Ｓ３０）、信号出力部１２へ出力する。図３に記載された例では、当該所定の画素行における最大輝度信号Ｅを、最大入力階調（２５５）を有する信号Ｅ’に変換する。つまり、最大輝度信号Ｅは、当該信号が表示されている期間においては輝度１００％で表示される。同様にして、同じラインに属する映像信号データＡ〜Ｄも、それぞれ、最大輝度信号Ｅの変換比率と同じ変換比率にて映像信号データＡ’〜Ｄ’変換される。
【００５７】
最後に、信号変換部１５は、ステップＳ３０で変換された映像信号（図３ではＡ’〜Ｅ’）、及び非映像信号を表示部１１に出力する(Ｓ４０）。
【００５８】
また、走査部１３は、ステップＳ３０で変換された映像信号（図３ではＡ’〜Ｅ’）、及び非映像信号が上記黒挿入率で複数の表示素子の各々に入力されるよう、走査信号を１画素行毎に表示部１１に出力する(Ｓ４０）。
【００５９】
上記説明した黒挿入率の決定から映像信号の変換までのプロセスによれば、割合決定部１６は、信号特定部で特定される所定のラインの最大輝度信号の輝度が低いほど、当該ラインの黒挿入率を高くすることが好ましい。輝度が低いラインの黒挿入率を高くすることで、暗階調での階調数を増やすことができる。
【００６０】
また、信号変換部１５は、特定された１ラインの最大輝度信号の輝度が低いほど、当該１ラインの映像信号の変換比率（増幅率）を高くすることが好ましい。これにより、輝度が低いラインの黒挿入率を高くする分、暗階調での階調数を増やすことで、１フレーム期間において本来表示すべき輝度を実現することが可能となる。
【００６１】
次に、表示装置１にて決定した黒挿入率及び変換された映像信号に基づく表示動作を実現する各発光画素の構成及び動作を説明する。
【００６２】
図４は、本発明の実施の形態１に係る表示部の有する発光画素の基本回路構成図である。同図に記載された表示部１１は、発光画素がマトリクス状に配置され、各発光画素は、駆動トランジスタ１１１と、選択トランジスタ１１２と、有機ＥＬ素子１１３と、データ線１１４と、ゲート線１１５と、正電源線１１６と、負電源線１１７とを備える。駆動トランジスタ１１１のドレイン電極は正電源線１１６に接続され、ソース電極は有機ＥＬ素子１１３のアノードに接続されている。また、選択トランジスタ１１２のドレイン電極はデータ線１１４に、ゲート電極はゲート線１１５に、ソース電極は駆動トランジスタ１１１のゲート電極に接続されている。
【００６３】
また、各画素行に配置されたゲート線１１５は、図１に記載された走査部１３に接続され、各画素列に配置されたデータ線１１４は、図１に記載された信号出力部１２に接続されている。
【００６４】
上記構成において、走査部１３からゲート線１１５に走査信号が入力され、選択トランジスタ１１２をオン状態にすると、信号出力部１２からデータ線１１４を介して供給された映像信号電圧により駆動トランジスタ１１１のコンダクタンスがアナログ的に変化し、当該映像信号電圧の発光階調に対応した駆動電流が有機ＥＬ素子１１３のアノードに供給され、カソードへと流れる。これにより、有機ＥＬ素子１１３が発光し画像として表示される。
【００６５】
なお、選択トランジスタ１１２、駆動トランジスタ１１１は、映像信号の電圧値に応じた駆動電流を有機ＥＬ素子１１３に流すために必要な基本回路構成要素であるが、本実施の形態に係る画素回路は、上述した形態に限定されない。また、上述した基本回路構成要素に、例えば、データ線１１４から供給された信号電圧を保持するコンデンサなどが付加される場合も、本発明の実施の形態に係る画素回路に含まれる。
【００６６】
図５は、本発明の実施の形態１に係る表示装置の動作タイミングチャートである。同図において、横軸は時間を表している。また縦方向には、上から順に、データ線１１４の電圧レベル、（ｎ−１）行に配置されたゲート線Ｇ（ｎ−１）の電圧レベル、（ｎ−１）行における有機ＥＬ素子の発光輝度レベルＬ（ｎ−１）、ｎ行に配置されたゲート線Ｇ（ｎ）の電圧レベル、ｎ行における有機ＥＬ素子の発光輝度レベルＬ（ｎ）、（ｎ＋１）行に配置されたゲート線Ｇ（ｎ＋１）の電圧レベル、（ｎ＋１）行における有機ＥＬ素子の発光輝度レベルＬ（ｎ＋１）の波形図が示されている。
【００６７】
ここで、信号出力部１２は、１フレーム期間において、全行の映像信号データを行順次にデータ線１１４へ出力している。また、本実施の形態において、信号出力部１２は、データ線１１４に対して、上述した変換された映像信号と黒挿入信号（図５における０％に相当する信号）とを行単位で交互に出力している。
【００６８】
まず、時刻ｔ０１において、走査部１３は、ゲート線Ｇ（ｎ−１）の電圧レベルをＬＯＷからＨＩＧＨに変化させ、（ｎ−１）行の選択トランジスタ１１２をＯＮ状態とする。これにより、（ｎ−１）行の駆動トランジスタ１１１はＯＮ状態となり、ゲート電極に印加された変換された映像信号の電圧レベルに応じた駆動電流を（ｎ−１）行の有機ＥＬ素子１１３に流す。このとき、（ｎ−１）行の有機ＥＬ素子１１３は、割合決定部１６または信号特定部で特定された最大輝度信号が変換された輝度を１００％として発光する。
【００６９】
次に、時刻ｔ０２において、走査部１３は、ゲート線Ｇ（ｎ−１）の電圧レベルをＨＩＧＨからＬＯＷに変化させ、（ｎ−１）行の選択トランジスタ１１２をＯＦＦ状態とする。このとき、（ｎ−１）行の駆動トランジスタ１１１のゲート電極には、時刻ｔ０１に印加された電圧レベルが保持されている。この電圧保持機能は、図４に記載された基本画素回路に対し、例えば、コンデンサが駆動トランジスタ１１１のゲート−ソース間に接続されていることにより実現される。
【００７０】
上記時刻ｔ０１〜ｔ０２の動作により、（ｎ−１）行における全列の所定の発光動作が実行される。
【００７１】
次に、走査部１３は、上述した時刻ｔ０１〜ｔ０２の動作と同様の動作を、ゲート線Ｇ（ｎ）に対し、時刻ｔ０３〜ｔ０４において実行する。これにより、ｎ行においても、所定の発光動作が実行される。
【００７２】
次に、走査部１３は、上述した時刻ｔ０１〜ｔ０２の動作と同様の動作を、ゲート線Ｇ（ｎ＋１）に対し、時刻ｔ０５〜ｔ０６において実行する。これにより、（ｎ＋１）行において、所定の発光動作が実行される。
【００７３】
つまり、上述した時刻ｔ０１〜ｔ０６において、走査部１３は、信号出力部１２による変換後の映像信号の出力に同期して、ライン順次に第１走査信号を表示部１１に出力している。
【００７４】
次に、時刻ｔ０７において、走査部１３は、ゲート線Ｇ（ｎ）の電圧レベルをＬＯＷからＨＩＧＨに変化させ、ｎ行の選択トランジスタ１１２をＯＮ状態とする。時刻ｔ０７において、データ線１１４の電圧レベルは黒挿入信号レベルであるので、ｎ行の駆動トランジスタ１１１はＯＦＦ状態となり、ｎ行の有機ＥＬ素子１１３は発光を停止する。以降、時刻ｔ１３において、走査部１３がゲート線Ｇ（ｎ）の電圧レベルをＬＯＷからＨＩＧＨに変化させるまでの期間は黒挿入期間Ｂ（ｎ）となり、ｎ行の各発光画素は発光せず、黒表示となる。
【００７５】
次に、時刻ｔ０９において、走査部１３は、ゲート線Ｇ（ｎ−１）及びゲート線Ｇ（ｎ＋１）の電圧レベルをＬＯＷからＨＩＧＨに変化させ、（ｎ−１）行及び（ｎ＋１）行の選択トランジスタ１１２をＯＮ状態とする。時刻ｔ０９において、データ線１１４の電圧レベルは非映像信号レベルであるので、（ｎ−１）行及び（ｎ＋１）行の駆動トランジスタ１１１はＯＦＦ状態となり、（ｎ−１）行及び（ｎ＋１）行の有機ＥＬ素子１１３は発光を停止する。以降、（ｎ−１）行の画素行について、時刻ｔ１１において、走査部１３がゲート線Ｇ（ｎ−１）の電圧レベルをＬＯＷからＨＩＧＨに変化させるまでの期間は黒挿入期間Ｂ（ｎ−１）となり、（ｎ−１）行の各発光画素は発光せず、黒表示となる。また、（ｎ＋１）行の画素行について、時刻ｔ１５において、走査部１３がゲート線Ｇ（ｎ＋１）の電圧レベルをＬＯＷからＨＩＧＨに変化させるまでの期間は黒挿入期間Ｂ（ｎ＋１）となり、（ｎ＋１）行の各発光画素は発光せず、黒表示となる。
【００７６】
図５に記載された動作タイミングチャートでは、各行の最大輝度信号における輝度は、（ｎ−１）行、（ｎ＋１）行、ｎ行、の順に高いという想定である。従って、表示装置１に入力された映像信号の変換比率（増幅率）は、ｎ行、（ｎ＋１）行、（ｎ−１）行の順に大きく、黒挿入期間は、Ｂ（ｎ）＞Ｂ（ｎ＋１）＞Ｂ（ｎ−１）となる。
【００７７】
つまり、上述した時刻ｔ０７〜ｔ１５における走査部１３は、信号出力部１２による黒挿入信号の出力に同期して、１フレーム期間に対する黒挿入期間の割合が、割合決定部１６で決定された黒挿入率となるように、第２走査信号を表示部１１に出力している。
【００７８】
上述した動作より、走査部１３は、ゲート線１１５を介して、変換後の映像信号を行順次に有機ＥＬ素子１１３に入力する行順次駆動と、画素行ごとに決定された黒挿入率に応じて黒挿入信号を任意の時刻に有機ＥＬ素子１１３に入力する任意駆動とを併用している。
【００７９】
本実施の形態によれば、信号出力部１２から出力された変換後の映像信号は、ライン順次に有機ＥＬ素子１１３へ供給される。一方、信号出力部１２から出力された非映像信号は、黒挿入率に応じて有機ＥＬ素子１１３へ供給される。これにより、ライン毎の黒挿入期間を、データ線１１４から所定の時間間隔で供給される黒挿入信号を利用して設定することができるので、当該黒挿入期間を規定するための制御線を付加する必要がなく、画素回路の簡素化が実現できる。
【００８０】
（実施の形態２）
本実施の形態は、実施の形態１と比較して、発光素子への当該映像信号に応じた発光をさせない非映像信号の供給方法が異なる。
【００８１】
図６は、本発明の実施の形態２に係る表示部の有する発光画素の基本回路構成図である。同図に記載された表示部２１は、発光画素がマトリクス状に配置され、各発光画素は、駆動トランジスタ１１１と、選択トランジスタ１１２と、有機ＥＬ素子１１３と、データ線１１４と、ゲート線１１５と、正電源線１１６と、負電源線１１７と、コンデンサ２１８と、制御線２１９とを備える。
【００８２】
図６に記載された表示部２１は、図４に記載された表示部１１と比較して、バイアス電圧印加機能を有するコンデンサ及び制御線２１９が付加されている点が構成として異なる。以下、実施の形態１と同じ点は説明を省略し、異なる点について説明する。
【００８３】
コンデンサ２１８は、第１電極が制御線２１９に接続され、第２電極が駆動トランジスタ１１１のゲート電極に接続され、制御線２１９の電圧レベルに応じて駆動トランジスタ１１１のゲート電極にバイアス電圧を印加する機能を有するキャパシタである。また、コンデンサ２１８は、データ線１１４から供給された映像信号電圧を保持する機能を有する。
【００８４】
制御線２１９は、走査部１３に接続され、走査部１３から出力された電位をコンデンサ２１８の第１電極に印加する機能を有する。
【００８５】
上記構成において、走査部１３からゲート線１１５に第１走査信号が入力され、選択トランジスタ１１２をオン状態にすると、信号出力部１２からデータ線１１４を介して供給された映像信号電圧により駆動トランジスタ１１１のコンダクタンスがアナログ的に変化し、当該映像信号電圧の発光階調に対応した駆動電流が有機ＥＬ素子１１３のアノードに供給され、カソードへと流れる。これにより、有機ＥＬ素子１１３が発光し画像として表示される。
【００８６】
また、走査部１３から制御線２１９に第２走査信号が入力され、駆動トランジスタ１１１のゲート電極の電位を、コンデンサ２１８を介して駆動トランジスタ１１１がＯＦＦ状態となるような電位に設定することが可能となる。これにより、信号出力部１２からデータ線１１４を介して供給された映像信号を、当該映像信号に応じた発光をさせない非映像信号として有機ＥＬ素子１１３に与えることが可能となる。
【００８７】
本実施の形態では、信号出力部１２は、信号変換部１５で変換された映像信号を画素行ごとに出力するが、非映像信号である黒挿入信号を、データ線を介して表示部２１に出力しない。
【００８８】
なお、選択トランジスタ１１２、駆動トランジスタ１１１は、映像信号の電圧値に応じた駆動電流を有機ＥＬ素子１１３に流すために必要な基本回路構成要素であるが、本実施の形態に係る画素回路は、上述した形態に限定されない。また、上述した基本回路構成要素に、他の回路構成要素が付加される場合も、本発明の実施の形態に係る画素回路に含まれる。
【００８９】
図７は、本発明の実施の形態２に係る表示装置の動作タイミングチャートである。同図において、横軸は時間を表している。また縦方向には、上から順に、データ線１１４の電圧レベル、（ｎ−１）行に配置されたゲート線Ｇ（ｎ−１）の電圧レベル、（ｎ−１）行に配置された制御線Ｃ（ｎ−１）の電圧レベル、（ｎ−１）行における有機ＥＬ素子の発光輝度レベルＬ（ｎ−１）、ｎ行に配置されたゲート線Ｇ（ｎ）の電圧レベル、ｎ行に配置された制御線Ｃ（ｎ）の電圧レベル、ｎ行における有機ＥＬ素子の発光輝度レベルＬ（ｎ）、（ｎ＋１）行に配置されたゲート線Ｇ（ｎ＋１）の電圧レベル、（ｎ＋１）行に配置された制御線Ｃ（ｎ＋１）の電圧レベル、（ｎ＋１）行における有機ＥＬ素子の発光輝度レベルＬ（ｎ＋１）の波形図が示されている。
【００９０】
ここで、信号出力部１２は、１フレーム期間において、全行の映像信号データを行順次にデータ線１１４へ出力している。また、本実施の形態において、信号出力部１２は、データ線１１４に対して、上述した変換された映像信号以外に、黒挿入信号（図５における０％に相当する信号）を出力していない。
【００９１】
まず、時刻ｔ２１において、走査部１３は、ゲート線Ｇ（ｎ−１）の電圧レベルをＬＯＷからＨＩＧＨに変化させ、（ｎ−１）行の選択トランジスタ１１２をＯＮ状態とする。また、同時に、走査部１３は、制御線Ｃ（ｎ−１）の電圧レベルをＬＯＷからＨＩＧＨに変化させ、（ｎ−１）行の駆動トランジスタ１１１のゲート電極に印加するバイアス電圧をＨＩＧＨ状態とする。これにより、（ｎ−１）行の駆動トランジスタ１１１はＯＮ状態となり、ゲート電極に印加された変換された映像信号の電圧レベルに応じた駆動電流を（ｎ−１）行の有機ＥＬ素子１１３に流す。このとき、（ｎ−１）行の有機ＥＬ素子１１３は、信号特定部で特定された最大輝度信号が変換された輝度を１００％として発光する。
【００９２】
次に、時刻ｔ２２において、走査部１３は、ゲート線Ｇ（ｎ−１）の電圧レベルをＨＩＧＨからＬＯＷに変化させ、（ｎ−１）行の選択トランジスタ１１２をＯＦＦ状態とする。このとき、（ｎ−１）行の駆動トランジスタ１１１のゲート電極には、時刻ｔ２１に印加された電圧レベルが保持されている。
【００９３】
上記時刻ｔ２１〜ｔ２２の（ｎ−１）行に対する動作により、（ｎ−１）行の全列において所定の発光動作が実行される。
【００９４】
次に、走査部１３は、上述した時刻ｔ２１〜ｔ２２の（ｎ−１）行に対する動作と同様の動作を、ゲート線Ｇ（ｎ）及び制御線Ｃ（ｎ）に対し、時刻ｔ２２〜ｔ２３において実行する。これにより、ｎ行においても、所定の発光動作が実行される。
【００９５】
次に、走査部１３は、上述した時刻ｔ２１〜ｔ２２の（ｎ−１）行に対する動作と同様の動作を、ゲート線Ｇ（ｎ＋１）及び制御線Ｃ（ｎ＋１）に対し、時刻ｔ２３〜ｔ２４において実行する。これにより、（ｎ＋１）行において、所定の発光動作が実行される。
【００９６】
つまり、上述した時刻ｔ２１〜ｔ２４において、走査部１３は、信号出力部１２による変換後の映像信号の出力に同期して、ライン順次に第１走査信号を表示部１１に出力している。
【００９７】
次に、時刻ｔ２５において、走査部１３は、制御線Ｃ（ｎ）の電圧レベルをＨＩＧＨからＬＯＷに変化させ、ｎ行の駆動トランジスタ１１１のゲート電極に印加するバイアス電圧をＬＯＷ状態とする。これにより、ｎ行の駆動トランジスタ１１１はＯＦＦ状態となり、ゲート電極に印加された変換された映像信号は、当該映像信号に応じた発光をさせない非映像信号に変換されてｎ行の有機ＥＬ素子１１３に入力されることとなる。このとき、ｎ行の有機ＥＬ素子１１３は発光を停止する。以降、時刻ｔ２８において、走査部１３がゲート線Ｇ（ｎ）及び制御線Ｃ（ｎ）の電圧レベルをともにＬＯＷからＨＩＧＨに変化させるまでの期間は黒挿入期間Ｂ（ｎ）となり、ｎ行の各発光画素は黒表示となる。
【００９８】
次に、時刻ｔ２６において、走査部１３は、制御線Ｃ（ｎ−１）及び制御線Ｃ（ｎ＋１）の電圧レベルをＨＩＧＨからＬＯＷに変化させ、（ｎ−１）行及び（ｎ＋１）行の駆動トランジスタ１１１のゲート電極に印加するバイアス電圧をＬＯＷ状態とする。これにより、（ｎ−１）行及び（ｎ＋１）行の駆動トランジスタ１１１はＯＦＦ状態となり、ゲート電極に印加された変換された映像信号は、当該映像信号に応じた発光をさせない非映像信号に変換されて（ｎ−１）行及び（ｎ＋１）行の有機ＥＬ素子１１３に入力されることとなる。このとき、（ｎ−１）行及び（ｎ＋１）行の有機ＥＬ素子１１３は発光を停止する。以降、（ｎ−１）行の画素行について、時刻ｔ２７において、走査部１３がゲート線Ｇ（ｎ−１）及び制御線Ｃ（ｎ−１）の電圧レベルをともにＬＯＷからＨＩＧＨに変化させるまでの期間は黒挿入期間Ｂ（ｎ−１）となり、（ｎ−１）行の各発光画素は黒表示となる。
【００９９】
また、（ｎ＋１）行の画素行について、時刻ｔ２９において、走査部１３がゲート線Ｇ（ｎ＋１）及び制御線Ｃ（ｎ＋１）の電圧レベルをともにＬＯＷからＨＩＧＨに変化させるまでの期間は黒挿入期間Ｂ（ｎ＋１）となり、（ｎ＋１）行の各発光画素は黒表示となる。
【０１００】
図７に記載された動作タイミングチャートでは、各行の最大輝度信号における輝度は、（ｎ−１）行、（ｎ＋１）行、ｎ行、の順に高いという想定である。従って、表示装置１に入力された映像信号の変換比率（増幅率）は、ｎ行、（ｎ＋１）行、（ｎ−１）行の順に大きく、黒挿入期間は、Ｂ（ｎ）＞Ｂ（ｎ＋１）＞Ｂ（ｎ−１）となる。
【０１０１】
つまり、上述した時刻ｔ２５〜ｔ２９における走査部１３は、有機ＥＬ素子が映像信号に応じた発光をしない期間が、割合決定部１６で決定された黒挿入率に応じた期間となるように、制御線２１９の電位を変化させる第２走査信号を出力して駆動トランジスタ１１１をＯＦＦ状態にしている。
【０１０２】
上述した動作より、走査部１３は、ゲート線１１５を介して、変換後の映像信号を行順次に有機ＥＬ素子１１３に入力する行順次駆動と、制御線２１９を介して、画素行ごとに決定された黒挿入率に応じて映像信号に応じた発光をしない黒挿入信号を任意の時刻に有機ＥＬ素子１１３に入力するための任意駆動とを併用している。
【０１０３】
本実施の形態によれば、信号出力部１２から出力された変換後の映像信号は、走査部から出力された第１走査信号により、ライン順次に表示素子へ供給される。一方、各発光画素に設けられた駆動トランジスタ１１１のゲート電圧を、走査部１３から出力された第２走査信号により変化させ駆動トランジスタ１１１をＯＦＦ状態とすることにより、信号出力部１２から出力された映像信号は、当該映像信号に応じた発光をしない非映像信号に変換される。この制御線２１９への第２走査信号を、黒挿入率に応じて表示部１１へ出力する。これにより、ライン毎の黒挿入期間を、駆動トランジスタ１１１に接続された制御線２１９の電圧変化により設定することができる。よって、データ線１１４に映像信号と非映像信号を交互に出力させる必要がなく、信号出力部１２及び走査部１３が出力する信号切り換えの周波数が高くならないので信号出力負荷が低減する。また、非映像信号期間の設定が、データ線に非映像信号が出力されるタイミングのみに制約されないので、より高精度な黒挿入期間の設定が可能となる。
【０１０４】
以上、実施の形態１及び２に基づいて本発明に係る表示装置を説明してきたが、本発明の表示装置は、上述した実施の形態１及び２に限定されるものではない。実施の形態１及び２における任意の構成要素を組み合わせて実現される別の実施の形態や、実施の形態１及び２に対して本発明の主旨を逸脱しない範囲で当業者が思いつく各種変形を施して得られる変形例や、本発明に係る表示装置を内蔵した各種機器も本発明に含まれる。
【０１０５】
例えば、実施の形態１及び２において、割合決定部１６は、１画素行ごとに黒挿入率を決定しているが、１画素行ごとでなく、ブロックごとに黒挿入率が決定されてもよい。ここで、ブロックとは、２以上の画素行から構成されている。さらに、表示部は、１フレーム期間に表示すべき画素領域において、２以上のブロックを有している。この場合にも、同一フレーム内で輝度差が大きい画像を表示する場合に、輝度が低いブロックの黒挿入率を高くすることができる。これにより、暗階調での階調数を増やすことが可能となる。よって、黒挿入率をブロック単位で細かく設定することにより、動画ぼけを解消できるとともに、暗階調での解像度を上げることが可能となる。
【０１０６】
また、実施の形態１及び２において、割合決定部１６は、１画素行ごとに黒挿入率を決定しているが、１画素行ごとでなく、１画素列ごとに黒挿入率を決定してもよい。この場合には、表示装置の表示方式として、行単位の走査方式ではなく、列単位での走査方式が前提となる。
【０１０７】
また、実施の形態１及び２において、映像信号に応じた発光をしない非映像信号として黒データを採用しているが、当該非映像信号は、最低階調の映像信号データに限られない。
【０１０８】
また、以上述べた実施の形態では、選択トランジスタのゲートの電圧レベルがＨＩＧＨの場合にオン状態になるｎ型トランジスタとして記述しているが、これらをｐ型トランジスタで形成し、走査線の極性を反転させた画像表示装置でも、上述した各実施の形態と同様の効果を奏する。
【０１０９】
また、例えば、本発明に係る表示装置は、図８に記載されたような薄型フラットＴＶに内蔵される。本発明に係る表示装置が内蔵されることにより、動画ぼけがなく、暗階調でも解像度の高い画像表示が可能な薄型フラットＴＶが実現される。
【産業上の利用可能性】
【０１１０】
本発明は、フレーム期間内で画像が持続されるホールド型表示装置に有用であり、特に、高品質な動画像が要求されるアクティブ型の有機ＥＬフラットパネルディスプレイに有用である。
【符号の説明】
【０１１１】
１    表示装置
１１、２１    表示部
１２    信号出力部
１３    走査部
１４    タイミングコントローラ
１５    信号変換部
１６    割合決定部
１１１    駆動トランジスタ
１１２    選択トランジスタ
１１３    有機ＥＬ素子
１１４    データ線
１１５    ゲート線
１１６    正電源線
１１７    負電源線
２１８    コンデンサ
２１９    制御線
【図１】
0005517953.tif 000002
【図２】
0005517953.tif 000003
【図３】
0005517953.tif 000004
【図４】
0005517953.tif 000005
【図５】
0005517953.tif 000006
【図６】
0005517953.tif 000007
【図７】
0005517953.tif 000008
【図８】
0005517953.tif 000009
【図９】
0005517953.tif 000010